(57)【要約】【課題】転写媒体の画像を読み取った読取画像に基づいて画像の良否を判定する画像検査と、サンプル出力とが可能な画像形成装置において、サンプル出力を適正に行うことを可能とする。【解決手段】画像形成装置は、画像データに基づいて転写媒体に画像形成を行う画像形成部と、画像形成を制御し、転写媒体に形成された画像を読み取った読取画像を取得し、読取画像に基づいて転写媒体上の画像の良否の判定を行う画像検査と、サンプル出力とを実施可能にする制御部と、を有し、制御部は、所定のタイミングによってサンプル出力を実施する設定がされている場合、画像検査を実施するジョブを出力する際は、設定に基づくサンプル出力を実施しないでジョブを出力する。【選択図】図２４
2019048387.tif 000002
【特許請求の範囲】
【請求項１】
画像データに基づいて転写媒体に画像形成を行う画像形成部と、
画像形成を制御し、転写媒体に形成された画像を読み取った読取画像を取得し、前記読取画像に基づいて転写媒体上の画像の良否の判定を行う画像検査と、サンプル出力とを実施可能にする制御部と、を有し、
前記制御部は、所定のタイミングによって前記サンプル出力を実施する設定がされている場合、前記画像検査を実施するジョブを出力する際は、前記設定に基づく前記サンプル出力を実施しないでジョブを出力することを特徴とする画像形成装置。
【請求項２】
前記制御部は、ジョブ毎に前記画像検査を実施するかを設定可能であることを特徴とする請求項１記載の画像形成装置。
【請求項３】
前記制御部は、前記サンプル出力を所定周期からなるタイミングで実施することができ、前記設定に基づいて前記サンプル出力を実施しないときに、前記所定周期におけるカウントを継続することを特徴とする請求項１または２に記載の画像形成装置。
【請求項４】
前記カウントを更新して記憶する記憶部を有し、前記制御部は、所定周期のタイミングで前記カウントをリセットし、その後、カウントを更新することを特徴とする請求項３記載の画像形成装置。
【請求項５】
前記制御部は、手動による指示操作を受け付けると、出力するジョブが前記画像検査を実施するジョブであるか否かに拘わらず、ジョブの出力中に前記指示によるサンプル出力を実施することを特徴とする請求項１〜４のいずれか１項に記載の画像形成装置。
【請求項６】
手動による操作指示を受け付ける操作部を有することを特徴とする請求項５記載の画像形成装置。
【請求項７】
前記制御部は、ジョブの出力中に前記指示によるサンプル出力を実施する場合、前記ジョブが画像検査を行うジョブであるときに、サンプル出力が行われる転写媒体に対しては前記画像検査を実施しないことを特徴とする請求項５または６に記載の画像形成装置。
【請求項８】
前記制御部は、前記転写媒体を区別して排紙することが可能であり、
前記サンプル出力によって排紙される転写媒体と、前記画像検査において不良と判定された転写媒体とを区別して排紙することを特徴とする請求項１〜７のいずれか１項に記載の画像形成装置。
【請求項９】
転写媒体を区別して排紙することができる複数の排紙部を有することを特徴とする請求項８に記載の画像形成装置。
【請求項１０】
前記制御部は、前記サンプル出力で出力される転写媒体上に付加情報を印刷可能であることを特徴とする請求項１〜７のいずれか１項に記載の画像形成装置。
【請求項１１】
前記制御部は、前記サンプル出力で出力される転写媒体と前記画像検査で不良と判定された転写媒体とを区別して排紙することができない場合、サンプル出力が行われる転写媒体に付加情報の画像を形成することを特徴とする請求項１〜１０のいずれか一項に記載の画像形成装置。
【請求項１２】
前記転写媒体上の画像を読み取る画像読取部を備えることを特徴とする請求項１〜１１のいずれか１項に記載の画像形成装置。
【請求項１３】
ジョブに基づいて画像を形成する画像形成方法であって、
転写媒体に形成された画像を読み取った読取画像を取得し、前記読取画像に基づいて画像の良否の判定を行う画像検査と、サンプル出力とが可能であり、
所定のタイミングによって前記サンプル出力を実施する設定がされている場合、前記画像検査を実施するジョブを出力する際に、前記設定に基づく前記サンプル出力を実施しないでジョブを出力することを特徴とする画像形成方法。
【請求項１４】
ジョブに基づいて転写媒体に画像を形成する制御を行い、さらに、転写媒体に形成された画像を読み取った読取画像を取得し、前記読取画像に基づいて画像の良否の判定を行う画像検査と、サンプル出力とが可能な制御部で実行されるプログラムであって、
前記制御部に、所定のタイミングによって前記サンプル出力を実施する設定がされている場合、前記画像検査を実施するジョブを出力する際に、前記設定に基づく前記サンプル出力を実施しないでジョブを出力する動作を実行させることを特徴とするプログラム。
【発明の詳細な説明】
【技術分野】
【０００１】
この発明は、画像データに基づいて転写媒体に画像を形成し、サンプル排紙と転写媒体上の画像の検査とが可能な画像形成装置、画像形成方法およびプログラムに関する。
【背景技術】
【０００２】
複写機、プリンター、複合機などの画像形成装置の分野では、用紙の画像を読み取った画像読取データを用いて、画像の良否の判定を行う画像検査機能を有するものがある。例えば、読取画像と印刷用の画像データとを比較して、印刷された画像が一致しない場合に異常判定を行う。画像が異常であると判定された場合はヤレとされ、通常は、ヤレ紙を通常とは異なる排出先に排紙し、出力を停止する処理などが行われている。
また、印刷異常が判定されてジョブを中断した場合や印刷条件の設定変更などを行った場合、所定の枚数を印刷した場合など、ユーザーは自分の意図している出力形態が得られているかを確認したいという要望がある。従来、このような観点から、通常のプリントを行う前やプリント中に、ユーザーによる確認のためのプリントを可能にした画像形成装置が提案されており、この確認のための出力機能をサンプル出力機能などと称している。
従来の画像形成装置では、上に記した画像検査とサンプル出力の両方の機能を有しているものが提案されている。
【０００３】
例えば、特許文献１では、画像の検査とサンプル出力の機能を有し、サンプル排紙の間隔を変更可能とした画像形成装置が提案されている。この画像形成装置では、サンプル排紙の間隔は、画像検査の結果によって変更判定を行うことが可能になっており、サンプル排紙の間隔を適正に設定できるものとしている。
特許文献２では、印刷した用紙の画像を読み取る画像読取部を設け、読み取った画像をパネルに表示させることができる画像形成装置が提案されている。この構成によりパネル上で印刷画像の確認することができる。また、この画像形成装置では、サンプル排紙機能を有し、サンプル排紙と、画像読取部で読み取った出力画像のイメージ表示のいずれかをユーザーが選択、もしくは併用することを可能にしている。
【先行技術文献】
【特許文献】
【０００４】
【特許文献１】特開２０１４−１３４５９７号公報
【特許文献２】特開２０１４−９４５１９号公報
【発明の概要】
【発明が解決しようとする課題】
【０００５】
ところで、画像検査機能では、不良の検出レベルや、印刷された画像の形状・種類（文字、写真、地図画像など）によっては画像の良否判定に時間がかかる場合があり、画像検査に時間を要すると印刷の生産性が落ちてしまう。そのため、ユーザーは、実行するジョブ毎に、画像検査機能を使用するのか、サンプル出力機能を使用するのかを選択できることが望ましい。
特許文献１などにおける従来技術では、サンプル出力の設定はジョブ毎に行うものではないため、画像検査機能を行うジョブの出力中でもサンプル出力が有効となり、本来必要としないサンプル出力が実行されてしまい、サンプル出力が無題紙になってしまうという問題がある。
【０００６】
また、特許文献２では、画像検査を行うジョブを出力する場合、サンプル出力を行わずに読み取った画像をパネルに表示させる設定にすることで、サンプル排紙を行うことなく画像の確認を行うことができる。
一方、画像検査を行わないジョブを出力する場合に、サンプル出力を行って印刷用紙で画像の異常有無を確認したい場合もある。そのため、画像検査を行わないジョブを出力する際は、再びサンプル出力機能をオンに設定変更する必要があり煩雑である。また、サンプル出力機能をオンに設定した後に、画像検査機能を必要とするジョブを実行する際はサンプル出力機能をオフにし忘れてしまうことがあり、この場合は画像検査中にサンプル排紙を行ってしまい、サンプル出力自体がヤレ紙となってしまう問題がある。
【０００７】
従来の画像形成装置におけるサンプル出力の状況について図２６、２７に基づいて説明する。例えば、サンプル出力の周期を３００枚に設定した状態で、画像検査無しのＪＯＢ１、画像検査ありのＪＯＢ２、画像検査なしのＪＯＢ３を順番に出力した場合とする。
図２６の例では、ＪＯＢ１、２、３において、３００枚目毎にサンプル出力が行われている。したがって、画像検査を行うジョブであるＪＯＢ２の出力中においても、ＪＯＢ１でサンプル出力した後の３００枚目である１００枚目と４００枚目でサンプル出力が行われている。ＪＯＢ２では画像検査が行われているため、ＪＯＢ２ではサンプル出力は本来必要とされないものであり、無駄な無駄な出力となっている。
図２７の例では、ＪＯＢ２の開始前にサンプル出力をしないように設定にすればＪＯＢ２の出力中におけるサンプル出力は実行されなくなる。しかし、ＪＯＢ２の後に、画像検査を行わないＪＯＢ３を出力すると、再びサンプル出力を「する」に変更する必要があり、操作が煩雑となる。
このため、従来の画像形成装置では、設定ミスによって、無駄なサンプル出力が実施されたり、必要なサンプル出力が実施されなかったりといった問題が生じる。
【０００８】
本発明は上記課題を背景としてなされたものであり、画像データに基づいて転写媒体に画像を形成し、サンプル排紙と画像検査とを可能にする画像形成において、サンプル出力を適正に実施することを可能にする画像形成装置、画像形成方法およびプログラムを提供することを目的とする。
【課題を解決するための手段】
【０００９】
すなわち、本発明の画像形成装置のうち、第１の形態は、
画像データに基づいて転写媒体に画像形成を行う画像形成部と、
前記画像形成を制御し、転写媒体に形成された画像を読み取った読取画像を取得し、前記読取画像に基づいて転写媒体上の画像の良否の判定を行う画像検査と、サンプル出力とを実施可能にする制御部と、を有し、
前記制御部は、所定のタイミングによって前記サンプル出力を実施する設定がされている場合、前記画像検査を実施するジョブを出力する際は、前記設定に基づく前記サンプル出力を実施しないでジョブを出力することを特徴とする。
【００１０】
他の形態の画像形成装置の発明は、前記形態の本発明において、前記制御部は、ジョブ毎に前記画像検査を実施するかを設定可能であることを特徴とする。
【００１１】
他の形態の画像形成装置の発明は、前記形態の本発明において、前記制御部は、前記サンプル出力を所定周期からなるタイミングで実施することができ、前記設定に基づいて前記サンプル出力を実施しないときに、前記所定周期におけるカウントを継続することを特徴とする。
【００１２】
他の形態の画像形成装置の発明は、前記形態の本発明において、前記カウントを更新して記憶する記憶部を有し、前記制御部は、所定周期のタイミングで前記カウントをリセットし、その後、カウントを更新することを特徴とする。
【００１３】
他の形態の画像形成装置の発明は、前記形態の本発明において、前記制御部は、手動による指示操作を受け付けると、出力するジョブが前記画像検査を実施するジョブであるか否かに拘わらず、ジョブの出力中に前記指示によるサンプル出力を実施することを特徴とする。
【００１４】
他の形態の画像形成装置の発明は、前記形態の本発明において、手動による操作指示を受け付ける操作部を有することを特徴とする。
【００１５】
他の形態の画像形成装置の発明は、前記形態の本発明において、前記制御部は、ジョブの出力中に前記指示によるサンプル出力を実施する場合、前記ジョブが画像検査を行うジョブであるときに、サンプル出力が行われる転写媒体に対しては前記画像検査を実施しないことを特徴とする。
【００１６】
他の形態の画像形成装置の発明は、前記形態の本発明において、前記制御部は、前記転写媒体を区別して排紙することが可能であり、
前記サンプル出力によって排紙される転写媒体と、前記画像検査において不良と判定された転写媒体とを区別して排紙することを特徴とする。
【００１７】
他の形態の画像形成装置の発明は、前記形態の本発明において、転写媒体を区別して排紙することができる複数の排紙部を有することを特徴とする。
【００１８】
他の形態の画像形成装置の発明は、前記形態の本発明において、前記制御部は、前記サンプル出力で出力される転写媒体上に付加情報を印刷可能であることを特徴とする。
【００１９】
他の形態の画像形成装置の発明は、前記形態の本発明において、前記制御部は、前記サンプル出力で出力される転写媒体と前記画像検査で不良と判定された転写媒体とを区別して排紙することができない場合、サンプル出力が行われる転写媒体に付加情報の画像を形成することを特徴とする。
【００２０】
他の形態の画像形成装置の発明は、前記形態の本発明において、前記転写媒体上の画像を読み取る画像読取部を備えることを特徴とする。
【００２１】
本発明の画像形成方法のうち、第１の形態は、ジョブに基づいて画像を形成する画像形成方法であって、転写媒体に形成された画像を読み取った読取画像を取得し、前記読取画像に基づいて画像の良否の判定を行う画像検査と、サンプル出力とが可能であり、
所定のタイミングによって前記サンプル出力を実施する設定がされている場合、前記画像検査を実施するジョブを出力する際に、前記設定に基づく前記サンプル出力を実施しないでジョブを出力することを特徴とする。
【００２２】
本発明のプログラムのうち、第１の形態は、ジョブに基づいて転写媒体に画像を形成する制御を行い、さらに、転写媒体に形成された画像を読み取った読取画像を取得し、前記読取画像に基づいて画像の良否の判定を行う画像検査と、サンプル出力とが可能な制御部で実行されるプログラムであって、
前記制御部に、所定のタイミングによって前記サンプル出力を実施する設定がされている場合、前記画像検査を実施するジョブを出力する際に、前記設定に基づく前記サンプル出力を実施しないでジョブを出力する動作を実行させることを特徴とする。
【発明の効果】
【００２３】
本発明によれば、サンプル排紙と画像検査とが可能な画像形成に際し、サンプル出力を適正に行うことを可能にする。
【図面の簡単な説明】
【００２４】
【図１】本発明の一実施形態の画像形成装置を含むシステム構成図である。
【図２】同じく、画像形成装置の機械的構成の概略を示す図である。
【図３】同じく、排紙装置の機械的構成を示す図である。
【図４】同じく、機能ブロック図である。
【図５】同じく、制御部の機能ブロック図である。
【図６】同じく、制御部の動作を示す機能ブロック図である。
【図７】サンプル出力の基本動作を示す図である。
【図８】本発明の一実施形態において画像検査ありのジョブを出力する際のサンプル出力動作を示す図である。
【図９】同じく、周期サンプル出力と手動サンプル出力とが行われる際の動作を示す図である。
【図１０】同じく、画像検査ありのジョブの出力時において周期サンプル出力と手動サンプル出力が行われる動作を示す図である。
【図１１】同じく、サンプル出力動作の他の例を示す図である。
【図１２】同じく、サンプル出力される用紙に付加される付加情報を示す図である。
【図１３】同じく、サンプル出力の設定画面を示す図である。
【図１４】同じく、サンプル出力周期の設定画面を示す図である。
【図１５】同じく、付加情報の設定画面を示す図である。
【図１６】同じく、付加情報の設定画面を示す図である。
【図１７】同じく、付加情報の設定画面を示す図である。
【図１８】同じく、付加情報の設定画面を示す図である。
【図１９】同じく、付加情報の設定画面を示す図である。
【図２０】同じく、付加情報の位置を示す図である。
【図２１】同じく、付加情報の位置の微調整設定画面を示す図である。
【図２２】同じく、サンプル出力の設定手順を示すフローチャートである。
【図２３】同じく、画像入力から排紙までの手順を示すフローチャートである。
【図２４】同じく、サンプル出力判断の手順を示すフローチャートである。
【図２５】同じく、サンプル出力周期カウンタの更新手順を示すフローチャートである。
【図２６】従来の画像形成装置におけるサンプル排紙の動作を示す図である。
【図２７】同じく、サンプル排紙動作を示す図である。
【発明を実施するための形態】
【００２５】
以下に、本発明の一実施形態の画像形成装置を含む画像形成システムを添付図面に基づ  画像形成装置１は、図１に示すように、上段側から順に、給紙装置４０、装置本体１０、読取装置２０および排紙装置３０を備えている。各装置は電気的および機械的に接続されていて、装置間での通信および用紙の搬送が可能となっている。
給紙装置４０は、用紙を大量に収納可能な複数の大容量給紙段を備えており、各給紙段に収納されている用紙は、後段の装置へ供給可能となっている。用紙は、本発明の転写媒体に相当する。なお、本発明の転写媒体の種類は紙に限定されるものではなく、例えば、布やプラスチックからなるものであってもよい。
装置本体１０は、給紙装置４０から搬送される用紙に画像を印刷する。
読取装置２０は、装置本体１０から搬送された用紙上の画像を読み取る。
排紙装置３０は、複数の排紙先を備えており、装置本体１０から制御を受けて所定の排紙先に用紙を排紙する。
画像形成装置１には、ＬＡＮ３を介して外部装置５が接続されている。画像形成装置１と外部の外部装置５などは、ＬＡＮ以外のネットワークで接続されるものであってもよく、有線、無線を問わず、ＷＡＮなどを用いることもできる。
【００２６】
画像形成装置１の機械的構成を図２に基づいて説明する。
装置本体１０の筺体内部では、下部側に、用紙を収納する本体給紙部１２が設けられており、本体給紙部１２には用紙が収納される。本体給紙部１２には、１つまたは複数の本体給紙段を備えるものとすることができる。
装置本体１０の内部には、給紙装置４０および本体給紙部１２に接続された搬送路１３が設けられており、給紙装置４０または本体給紙部１２から供給される用紙を、搬送路１３を通じて搬送する。本体給紙部１２に収納されている用紙は、本発明の転写媒体に相当する。本体給紙部１２においても転写媒体の種類は紙に限定されるものではなく、例えば、布やプラスチックからなるものであってもよい。
【００２７】
搬送路１３の途中には、用紙に画像を形成する画像形成部１１が設けられている。
画像形成部１１は、各色（シアン、マゼンタ、イエロー、ブラック）用の感光体１１ａを有しており、さらに、各色用の感光体１１ａに接触するように、中間転写ベルト１１ｂを有している。中間転写ベルト１１ｂは、二次転写部１１ｃにおいて搬送路１３上の用紙と接触している。また、二次転写部１１ｃよりも搬送路１３の下流側の位置には、定着器１１ｄが設けられている。
感光体１１ａの周囲には、図示しない帯電器、ＬＤ、現像器、クリーニング部等が備えられており、画像形成部１１では、電子写真方式による画像形成を行うことが可能となっている。
【００２８】
用紙に画像を形成する場合には、感光体１１ａを一様に帯電した後に、ＬＤによって潜像の書き込みを行い、現像器によって潜像を現像してトナー像とする。その後、各色用の感光体上のトナー像が重なるように、トナー像を中間転写ベルト１１ｂに転写し、中間転写ベルト１１ｂ上のトナー像を二次転写部１１ｃにおいて用紙に転写する。用紙に転写されたトナー像は、定着器１１ｄによって熱と圧力が加えられ、用紙に定着される。
なお、この実施形態では、画像形成部１１は多色の印刷を行うことが可能なものであるが、本発明としてはモノクロ印刷可能な画像形成部であってもよい。また、本発明の画像形成部の画像形成方式は特に限定されず、例えばインクジェット方式等を用いてもよい。
【００２９】
また、搬送路１３は、定着器１１ｄの下流側で、反転搬送路１５が分岐している。反転搬送路１５の途中には、下流搬送路１７が分岐して、反転搬送路１５の分岐地点よりも下流側で搬送路１３に接続されている。反転搬送路１５では下流搬送路１７が分岐した地点よりも下流側で退避搬送路１６が分岐している。反転搬送路１５の下流側は、画像形成部１１よりも上流側の位置で搬送路１３に合流している。搬送路１３は、ストレート方向において後段の読取装置２０の搬送路２３に接続されている。
【００３０】
用紙の片面に画像形成を行う場合、画像形成後の用紙は、そのまま搬送路１３をストレートに搬送されて読取装置２０の搬送路２３へ搬送される。
画像形成後に用紙のフェイス面の切り替えを行う場合は、用紙を反転搬送路１５に搬送し、下流搬送路１７の分岐点を超えて搬送した後、反転搬送路１５を逆方向に搬送し、下流搬送路１７を通って搬送路１３の下流側に搬送する。
用紙を反転して用紙の裏面に画像を形成する場合、用紙を搬送路１３から反転搬送路１５に送り、退避搬送路１６に送った後、用紙の先後を変えて反転搬送路１５の下流側に送り、搬送路１３に環流する。その後、画像形成部１１において用紙の裏面側への画像形成が行われる。
【００３１】
装置本体１０は、筐体の上部に、操作表示部１４０を備えている。操作表示部１４０は、タッチパネルを備えたＬＣＤ１４１を有しており、各種の情報の表示や操作入力が可能となっている。操作表示部１４０では、印刷された画像が不良と判定された場合に通知を行うことができる。
なお、操作表示部１４０は、この実施形態では表示部と操作部とが一体になっているが、本発明としては表示部と操作部とが一体になっていなくてもよく、例えばマウス等により表示部外で操作を行うものでもよい。また、操作表示部１４０は装置本体１０から取り外し可能となっていてもよい。
操作表示部１４０は、画像検査などによって印刷結果に異常が発生したことをユーザーに通知するための表示装置として使用することができる。表示は、画像形成装置に備えられている操作パネルなどでもよく、ネットワーク上に接続された外部ＰＣなどの表示部で表示するようにしてもよく、さらに音などで通知を行うものであってもよい。
【００３２】
装置本体１０の筐体の上部には、さらに、自動原稿給送装置（ＡＤＦ）１４を備えている。自動原稿給送装置（ＡＤＦ）１４では、セットされた原稿を自動で給送して、図４に示すＣＣＤ１３１によって原稿画像の読取を行うことができる。読取が行われた画像データは、画像形成に用いることができる。
【００３３】
次に読取装置２０について説明する。
読取装置２０は、装置本体１０の搬送路１３に接続される搬送路２３を有しており、搬送路２３は、搬送路１３によって導入される用紙を読取装置２０内で搬送することができる。
搬送路２３の途中には、搬送路２３の上方側に画像読取部２４０が設置されている。画像読取部２４０は、ＣＣＤセンサやＣＭＯＳセンサ等によって構成することができ、搬送路２３で搬送される用紙の画像を、搬送方向と交差する方向全体に亘って読み取りを行うことができる。画像読取部２４０で読み取られた読取画像は制御部１００に送信され、制御部１００において画像の良否の判定を行うことができる。
画像の良否を判定する際の基準となる画像データは、制御部１００でＲＩＰデータから得たものや自動原稿給送装置（ＡＤＦ）１４で読み取られた画像、サンプル出力の画像を読み取った読取画像などを用いることができる。
【００３４】
また、搬送路２３は、画像読取部２４０の下流側の地点で反転搬送路２３０が分岐している。反転搬送路２３０は、途中で退避搬送路２３１が分岐しており、反転搬送路２３０の下流側は、画像読取部２４０の上流側で搬送路２３に合流している。
画像の裏面の読み取りを行う場合は、読取後の用紙を搬送路２３から反転搬送路２３０に搬送し、一旦退避搬送路２３１に搬送した後、用紙の先後を変えて反転搬送路２３０の下流側に送り、画像読取部２４０の上流側で搬送路２３に環流する。その後、画像読取部２４０において用紙の裏面側に位置していた画像の読み取りを行う。
【００３５】
この実施形態では、読取装置２０に一つの画像読取部を有するものとして説明したが、本発明としては、画像読取部の数は特に限定されるものではなく、二つ以上の画像読取部を備えるものであってもよい。例えば、用紙の両面側に画像読取部を設けて、両面の読み取りを行うようにしてもよい。また、複数の画像読取部は、種別の異なるものであってもよい。
【００３６】
なお、この実施形態では、画像の良否の判定を制御部１００で行うものとしているが、読取装置２０で画像の判定を行うようにしてもよい。この場合、画像読取部２４０で読み取った画像を、読取装置２０に備える読み取り制御部などで取得し、読み取り制御部で画像の良否の判定を行うことができる。この場合、装置本体１０に備える制御部１００と読み取り制御部とが協働して本発明の制御部として機能するものであってもよい。
搬送路２３は、排紙装置３０の搬送路３３に接続されている。
【００３７】
排紙装置３０は、図２、図３に示すように、読取装置２０の搬送路２３に接続される搬送路３３を有しており、搬送路２３によって搬送される用紙を排紙装置３０内で搬送路３３により搬送することができる。搬送路３３は、下流側で第１搬送路３３１および第２搬送路３３２に分岐しており、第１搬送路３３１には第１排紙部３１が接続され、第２搬送路３３２には第２排紙部３２が接続されている。また、排紙装置３０内には、用紙をスタックして排紙する排紙部３００を有しており、搬送路３３によって用紙が搬送される。
この排紙装置３０は３つの排紙先を備えているが、排紙先の数は特に限定されるものではなく、１つのものであってもよい。排紙装置３０では、排紙先の切り替えが可能となっている。排紙装置３０では、画像検査などによって用紙に異常が検知された場合に、用紙を正常な排紙とは区別して排紙することが可能になっている。排紙の区別は異なる排紙先に排紙するものとしてもよく、また、同じ排紙先であっても排紙位置や向きなどを変えることで排紙の区別を行うものであってもよい。
【００３８】
この実施形態では、画像形成装置１は、給紙装置４０、装置本体１０、読取装置２０および排紙装置３０により構成されているものとしているが、本発明の画像形成装置を構成する装置の数や種類は上記に限定されるものではなく、装置本体１０のみによって画像形成装置１が構成されているものであってもよい。この場合、画像読取部は画像形成装置外に存在している。また、給紙装置４０、装置本体１０、読取装置２０および排紙装置３０の他に他の装置を備えるものであってもよい。例えば、複数の排紙装置を接続して排紙部の数を増やしたものであってもよく、画像読取装置の後段に後処理装置を設けて、用紙に対する後処理を可能としたものであってもよい。
また、この実施形態では、画像読取部２４０が読取装置２０内に設置されているものとしているが、例えば装置本体１０内に設けられていてもよい。また、画像形成装置に読取装置が機械的に接続されていないものであってもよい。
【００３９】
次に、画像形成装置１の機能ブロックを図４に基づいて説明する。
画像形成装置１は、制御ブロック部１１０とスキャナー部１３０と操作表示部１４０とプリンター部１５０とを備えるデジタルコピアと、画像処理部（プリント＆スキャナーコントローラー）１６０と、画像読取部２４０と、用紙排紙部３００とを有している。画像処理部（プリント＆スキャナーコントローラー）１６０は、外部装置５などから取得した画像データに対する処理を行う。画像読取部２４０、用紙排紙部３００は、それぞれ読取装置２０、排紙装置３０に備えられている。
【００４０】
制御ブロック部１１０は、ＰＣＩバス１１２を有しており、ＰＣＩバス１１２に、ＤＲＡＭ制御ＩＣ１１１が接続され、ＤＲＡＭ制御ＩＣ１１１には、制御ＣＰＵ１１３が接続されている。
制御ＣＰＵ１１３には、不揮発メモリ１１５が接続されている。不揮発メモリ１１５には、制御ＣＰＵ１１３で実行されるプログラムや、機械設定情報等の設定データ、プロセス制御パラメータ、読取画像に基づいて画像の異常を判定するためのパラメータ、付加画像等が格納されている。
【００４１】
制御ＣＰＵ１１３は、プログラムに実行によって画像形成装置１の全体の状態を把握し、画像形成装置１の制御を行うことが可能であり、用紙の搬送、画像形成等の動作や、画像形成用の画像データの処理などの制御を行うことができる。この実施形態では、制御ＣＰＵ１１３および制御ＣＰＵ１１３で動作するプログラムは、本発明の制御部を構成する。上記プログラムには、本発明のプログラムが含まれている。なお、プログラムは不揮発メモリ以外にＨＤＤなどに格納されているものとしてもよく、持ち運び可能な記憶媒体に格納されていてもよい。 
【００４２】
制御ＣＰＵ１１３には、さらに、記憶部１２７が接続されている。記憶部１２７はＲＡＭ、ＨＤＤ、ＳＳＤなどにより構成することができ、画像データ、ジョブデータ、プログラムやパラメータ等の所望の情報を格納することができる。記憶部１２７に複数の装置を備えるものであってもよい。
【００４３】
制御ＣＰＵ１１３には、さらに、スキャナー部１３０のスキャナー制御部１３２がシリアル通信可能に接続されている。
スキャナー部１３０は、用紙上の画像を光学的に読み取るＣＣＤ１３１と、スキャナー部１３０全体を制御するスキャナー制御部１３２を備えている。スキャナー制御部１３２は、制御ＣＰＵ１１３による指示を受けてスキャナー部１３０の各部を制御する。スキャナー制御部１３２は、ＣＰＵや記憶部、ＣＰＵで動作するプログラム等によって構成される。ＣＣＤ１３１には読み取り処理部１１６が接続されている。
【００４４】
制御ＣＰＵ１１３には、さらに、操作表示部１４０の操作部制御部１４２がシリアル通信可能に接続されている。操作表示部１４０は、タッチパネル式のＬＣＤ１４１と、操作部制御部１４２とを備えている。
タッチパネル式のＬＣＤ１４１では操作入力および情報の表示が可能である。操作部制御部１４２は、制御ＣＰＵ１１３の指示に基づき操作表示部１４０全体を制御するとともに、制御ＣＰＵ１１３に情報を送信することができる。操作部制御部１４２は、ＣＰＵや記憶部、ＣＰＵを動作させるプログラムなどによって構成することができる。
操作表示部１４０では、画像形成装置１における画像形成条件の設定や動作指令などの動作制御条件の入力が可能となっており、さらに設定内容、機械状態、情報の表示等が可能である。また、操作表示部１４０では、サンプル出力の実施有無の設定や、サンプル出力の周期設定、サンプル出力への付加画像情報等の設定を行うことができる。また、ジョブの出力中に手動でサンプル出力の指示を行うことも可能である。
【００４５】
また、制御ＣＰＵ１１３では、画像読取部２４０で印刷物の読み取りを行って取得した画像データと、予め用意した正解画像のデータとに基づいて、用紙上の画像の良否を判定することができる。画像の良否の判定は、パターンマッチング等の既知の手法によって行うことができ、例えば、比較結果の差分が所定値以上である場合に画像を不良と判定する。不良と判定された場合、不良の画像が印刷されている用紙を通常時とは区別して排紙するように制御することができる。区別した排紙は異なる排紙先に排紙するものでもよく、また、排紙位置や用紙の向きを変えるなどして排紙することで排紙を区別できるものとしてもよい。
なお、画像の良否の判定方法は本発明としては特に限定されるものではなく、正解画像との比較を行わずに画像の良否の判定を行うものであっても良い。
【００４６】
制御ＣＰＵ１１３には、さらに、プリンター部１５０のプリンター制御部１５２がシリアル通信可能に接続されている。
プリンター部１５０は、ＬＤ１５１と、プリンター制御部１５２とを備えている。プリンター制御部１５２は制御ＣＰＵ１１３の指示に基づいてプリンター部１５０の全体を制御し、用紙の搬送や画像形成動作の制御を行う。プリンター部１５０には、画像形成部１１１や搬送路１３、２３、３３等が含まれる。
ＬＤ１５１は、各色用のＬＤを総称するものである。ＬＤ１５１は、書き込み処理部１２６で処理された画像データに基づいて感光体に潜像を形成し、画像形成が行われる。
【００４７】
また、ＤＲＡＭ制御ＩＣ１１１には、画像メモリ（ＤＲＡＭ）１２０が接続されている。
画像メモリ（ＤＲＡＭ）１２０は、スキャナー部１３０で取得した画像データやＬＡＮ３を通して取得した画像データを格納するものであり、圧縮された画像データを格納する圧縮メモリ１２１と、非圧縮の画像データを格納するページメモリ１２２とを備えている。
圧縮メモリ１２１には、外部から受信した画像データを圧縮したデータ等を格納することができ、ページメモリ１２２には、画像形成用に展開した画像データや、読取画像の良否の判定に用いる基準画像のデータなどを格納することができる。
画像メモリ（ＤＲＡＭ）１２０には、出力するジョブの画像データや設定データを格納することができる。なお、ジョブのデータは記憶部１２７に格納することも可能である。
なお、ＤＲＡＭ制御ＩＣ１１１によって複数のジョブに関する画像データを画像メモリ１２０に記憶させることができる。すなわち、画像メモリ１２０には予約されたジョブの画像データの格納も可能である。
【００４８】
ＤＲＡＭ制御ＩＣ１１１には圧縮ＩＣ１１８が接続されており、圧縮ＩＣ１１８には読み取り処理部１１６が接続されている。
読み取り処理部１１６は、スキャナー部１３０のＣＤ１３１で取得した画像データに対し、シェーディング処理等の所定の処理を行うものである。
圧縮ＩＣ１１８は、画像データの圧縮を行うことが可能であり、圧縮後の画像データは、圧縮メモリ１２１に格納される。
【００４９】
ＤＲＡＭ制御ＩＣには伸長ＩＣ１２５が接続されており、伸長ＩＣ１２５には書き込み処理部１２６が接続されている。
伸長ＩＣ１２５は、圧縮された画像データの伸長を行うものであり、伸長後のデータは、ページメモリ１２２に一旦格納された後に、画像形成等に用いられる。
書き込み処理部１２６は、画像形成用の画像データに対して所定の処理を行うものであり、処理後の画像データはプリンター部１５０のＬＤ１５１に送られて、画像形成が行われる。
【００５０】
また、プリンター部１５０のプリンター制御部１５２には、画像読取部２４０のスキャナー制御部２４２が接続されている。
画像読取部２４０は、画像の読み取りを行うＣＣＤ２４１と、ＣＣＤスキャナーを制御するスキャナー制御部２４２とが接続されている。スキャナー制御部２４２は、ＣＰＵや記憶部、プログラム等によって構成される。スキャナー制御部２４２は、制御ＣＰＵ１１３の指示に従って画像読取部２４０全体の制御を行い、画像の読み取りや、読み取った画像データの転送等を行うことができる。
【００５１】
スキャナー制御部２４２には、用紙排紙部３００のスタッカ制御部３１０が接続されている。スタッカ制御部３１０には、スキャナー制御部２４２を介して制御部１００が制御可能に接続されている。
スタッカ制御部３１０は、用紙排紙部３００の全体を制御するものであり、制御ＣＰＵ１１３の指示に従って用紙の排紙を制御する。スタッカ制御部３１０は、ＣＰＵやＣＰＵで動作するプログラム、記憶部等によって構成される。
【００５２】
スタッカ制御部３１０には、取り出し釦３１１、ドアセンサ３１２、用紙上限センサ３１３、ステージ下限センサ３１４、ステージ上限センサ３１５、排紙センサ３１６が制御可能に接続されている。
取り出し釦３１１は、用紙排紙部３００にスタックされた用紙の取り出しを行うための釦であり、ユーザーが釦を押下することで、押下に関する信号をスタッカ制御部３１０に送信する。スタッカ制御部３１０は、押下信号を受けると、用紙を取り出す扉を開閉可能にする。なお、画像形成中など用紙の取り出しができない場合は、取り出し釦３１１が押下されてもスタッカ制御部３１０では扉をロックなどして用紙の取り出しを不可にする。
ドアセンサ３１２は、用紙を取り出す扉の開閉状態を検知する。例えば、扉が開いている状態では、画像形成や排紙を禁止する。
【００５３】
用紙上限センサ３１３は、用紙を積載するステージ上の用紙の上限位置を検知する。用紙上限センサ３１３の検知結果を受けたスタッカ制御部３１０では、用紙上限センサ３１３の検知結果に基づきステージを昇降させ、ステージ最上段の用紙の位置がほぼ一定の位置に保たれるように調整する。
ステージ下限センサ３１４は、ステージが下限の位置に移動したかを検出して検出信号をスタッカ制御部３１０に出力し、 ステージ上限センサ３１５は、ステージが上限の位置に移動したかを検出して検出信号をスタッカ制御部３１０に出力する。スタッカ制御部３１０は、ステージが上限に達すると、ステージの上昇を停止し、ステージが下限に達すると、ステージの下降を停止する。
排紙センサ３１６は、排紙先に対し用紙が排紙されたかを検知し、検知結果をスタッカ制御部３１０に送信する。スタッカ制御部３１０では、用紙排紙の検知結果を制御ＣＰＵ１１３に通知する。制御ＣＰＵ１１３では、用紙排紙の検知によって印刷枚数をカウントすることができる。なお、印刷枚数はスタッカ制御部３１０でカウントするものとしてもよい。
【００５４】
また、ＰＣＩバス１１２には、画像処理部（プリント＆スキャナーコントローラー）１６０のＤＲＡＭ制御ＩＣ１６１が接続されている。
画像処理部（プリント＆スキャナーコントローラー）１６０は、画像形成装置をネットワークプリンターやネットワークスキャナーとして使用する場合に、ＬＡＮ３に接続される外部装置５などから画像データ等を画像形成装置１で受信したり、スキャナー部１３０で取得した画像データを外部装置５などに送信したりする。
【００５５】
画像処理部（プリント＆スキャナーコントローラー）１６０では、ＤＲＡＭ制御ＩＣ１６１に画像メモリ１６２が接続されている。画像メモリ１６２はＤＲＡＭなどで構成される。また、画像処理部（プリント＆スキャナーコントローラー）１６０では、ＤＲＡＭ制御ＩＣ１６１に、コントローラー制御部１６３と、ＬＡＮ制御部１６４が接続されている。コントローラー制御部１６３は画像処理部（プリント＆スキャナーコントローラー）１６０全体の制御を行う。ＬＡＮ制御部１６４には、ＮＩＣ１６５が接続されており、ＮＩＣ１６５にＬＡＮ３が接続されている。
【００５６】
外部装置５は、外部装置５の全体を制御する外部装置制御部５０と、情報を表示する外部表示部５１とを有している。外部装置制御部５０は、ＣＰＵやＣＰＵを動作させるプログラム、記憶部などによって構成することができる。
また、外部装置制御部５０は、画像形成装置１と通信を行って画像形成装置１における画像処理を行うことが可能であり、さらに画像形成装置１を管理して制御するものとしてもよい。画像処理においては、画像形成装置における画像検査とサンプル出力とを制御するものとしてもよい。
外部装置５によって画像形成装置１の画像処理や画像形成を制御する場合、外部装置制御部５０が直接画像形成装置を制御してもよく、また、画像形成装置１へ制御内容の指示を行って、この指示内容によって画像形成装置の制御部で制御が行われるようにしてもよい。
外部装置５において画像形成装置１における画像検査とサンプル出力を制御する場合、外部装置制御部５０は、本発明の制御部として機能し、また、外部装置制御部５０と制御部１００とが協働して本発明の制御部としての機能を果たすものであってもよい。
また、上記機能において外部装置制御部５０で実行されるプログラムは、本発明のプログラムに相当する。
【００５７】
次に、画像形成装置１の基本的動作について説明する。
まず、画像形成装置１において画像データを蓄積する手順について説明する。
スキャナー部１３０で画像データを取得する場合、スキャナー部１３０のＣＣＤ１３１によって原稿の画像を光学的に読み取る。この際には、制御ＣＰＵ１１３によってスキャナー制御部１３２に指令が行われ、スキャナー制御部１３２によってＣＣＤ１３１の動作が制御される。
【００５８】
ＣＣＤ１３１で読み取られた画像は、読み取り処理部１１６でデータ処理がなされ、その後、圧縮ＩＣ１１８において所定の方法によって画像データが圧縮される。
読み取り処理部１１６では、ＣＣＤ１３１で読み取られた画像データに、アナログ信号処理、Ａ／Ｄ（Analog to Digital）変換処理、シェーディング処理等の各種処理を施し、デジタル画像データを生成する。圧縮ＩＣ１１８では、所定の方法でデータの圧縮がなされる。データの圧縮方法は特に限定されるものではない。
圧縮ＩＣ１１８で圧縮された画像データは、ＤＲＡＭ制御ＩＣ１１１を介して圧縮メモリ１２１に格納される。なお、画像データは記憶部１２７に格納することも可能である。圧縮メモリ１２１や記憶部１２７に格納された画像データは、制御ＣＰＵ１１３によってジョブにおける画像データとして管理することができる。
【００５９】
画像データを外部から取得する場合、例えば、外部装置５などからＬＡＮ３を通して画像データを取得する場合、画像データをＮＩＣ１６５で受信し、ＬＡＮ制御部１６４、ＤＲＡＭ制御ＩＣ１６１を介して、画像メモリ１６２に画像データを格納する。これらの動作は、コントローラー制御部１６３によって制御される。取得した画像データに対してＲＩＰ処理を行う場合は、コントローラー制御部１６３に画像データを転送してＲＩＰ処理を行い、得られたラスターイメージデータを画像メモリ１６２に格納する。なお、制御ＣＰＵ１１３においてＲＩＰ処理を行うものとしてもよい。
画像メモリ１６２のデータは、ＤＲＡＭ制御ＩＣ１６１、ＰＣＩバス１１２、ＤＲＡＭ制御ＩＣ１１１を介してページメモリ１２２に送信され、ページメモリ１２２に格納される。ページメモリ１２２に格納されたデータは、ＤＲＡＭ制御ＩＣ１１１を介して圧縮ＩＣ１１８に順次送られて圧縮処理され、圧縮された画像データは、圧縮メモリ１２１や記憶部１２７に格納される。
【００６０】
画像形成装置１でジョブとして画像出力を行う場合、すなわち複写機やプリンターとして使用する場合、圧縮メモリ１２１や記憶部１２７に格納された画像データを、ＤＲＡＭ制御ＩＣ１１１を介して伸長ＩＣ１２５に送出して画像データを展開する。
展開された画像データを書き込み処理部１２６に転送し、書き込み処理部１２６おいて書き込みデータを作成し、ＬＤ１５１によって感光体への画像の書き込みが行われる。その後、現像、転写、定着等を経ることにより、用紙に画像が形成される。
【００６１】
なお、ジョブ出力に際し、操作表示部１４０において、画像検査の実施有無やサンプル出力の実施有無を設定できるものとしてもよい。
画像形成装置１をプリンターとして用いる場合、印刷条件は、外部装置５内のプリンタドライバによって設定することができる。ここで設定された印刷条件は、画像と同様に、外部装置５→  ＮＩＣ１６５→  画像メモリ１６２→  ＤＲＡＭ制御ＩＣ１６１（コントローラー）→  ＤＲＡＭ制御ＩＣ１１１（本体）→  ページメモリ１２２の順で転送され、ページメモリ１２２に格納される。
【００６２】
画像形成装置１では、画像出力に際し、サンプル出力や画像検査を行うことができる。
サンプル出力は、ジョブの出力物を本出力以外に一部または全部を印刷して確認可能とするものである。通常は、所定の周期によって実施することができ、また、ユーザーが適宜時期に出力指示を行うことができる。所定の周期としては、印刷枚数や稼働時間などを用いることができ、その周期は適宜設定され、また、周期が自動的または手動により変更されるものであってもよい。
画像検査は、前記したように、画像読取部２４０による読取結果を用いて基準画像の比較などによって画像の良否を判定するものである。
サンプル出力機能および画像検査機能に関わる機能を有する制御部の詳細なブロック図を図５、６に基づいて説明する。
【００６３】
画像入力部（３−１）は、プリントコントローラから画像を入力するものであり、ジョブデータでは画像検査の指示も受けることができる。画像入力部（３−１）は、制御部１００に接続されている。
【００６４】
制御部１００では、主制御部３−３で画像入力、出力、検査、サンプル出力等の制御を行うことができ、画像データの処理のために、圧縮ＩＣ１１８、圧縮メモリ１２１、伸長ＩＣ１２５、第１ページメモリ１２２Ａ、第２ページメモリ１２２Ｂなどを有している。第１ページメモリ１２２Ａ、第２ページメモリ１２２Ｂは、ページメモリ１２２に含まれる。主制御部３−３は、制御部１００の一部機能により構成することができる。
主制御部３−３には、画像形成部１１が制御可能に接続されており、主制御部３−３では画像を出力して画像形成部１１に画像形成の指示を行うことができる。
主制御部３−３には、排紙先切り替え部３３０が制御可能に接続されている。排紙先切り替え部３３０は、排紙装置３０に備えられており、排紙装置３０に導入された用紙の排紙先の切り替えを行うことができる。
主制御部３−３には、画像読取部２４０が制御可能に接続されており、制御部１００では、画像読取部２４０に対し画像の読み取りの指示を行うことができる。さらに、画像読取部２４０からは、読み取り完了結果を読取画像とともに取得することができる。
【００６５】
主制御部３−３には操作表示部１４０が制御可能に接続されている。主制御部３−３では、操作表示部１４０を制御してサンプル出力指示を行う操作画面を操作表示部１４０に表示させることができる。操作表示部１４０でユーザーによりサンプル出力の指示が行われると、指示結果を制御部１００において受信し、指示内容に従った制御を行う。上記制御によって操作表示部１４０は、サンプル出力指示部３−１０として機能する。
【００６６】
また、主制御部３−３では、操作表示部１４０を制御して、サンプル出力設定を行う操作画面を操作表示部１４０に表示させることができる。操作表示部１４０でユーザーによりサンプル出力の設定が行われると、設定結果を制御部１００において受信し、記憶部１２７に記憶することができる。上記制御によって操作表示部１４０は、サンプル出力設定部３−２として機能する。サンプル出力の設定内容は、記憶部１２７において、サンプル出力オンオフ、サンプル出力周期、付加情報種類、付加情報印字形態、付加情報印字位置などが設定されて記憶される。
また、制御部１００では、主制御部３−３の指示によって付加画像形成部３−５に対し 付加画像の指示を行うことができる。付加画像形成部３−５は、制御部１００の一部機能によって構成される。付加画像形成部３−５では、付加画像形成の指示が行われると、記憶部１２７から付加情報種類、付加情報印字形態、付加情報印字位置などの情報を取得して付加画像を形成する。
【００６７】
制御部１００では、主制御部３−３の指示によってサンプル出力判断部３−４に対し、サンプル出力判断を求めることができる。サンプル出力判断部３−４は、制御部１００の一部機能によって構成される。サンプル出力判断部３−４では、サンプル出力判断に際し、記憶部１２７に対しサンプル出力設定の内容を呼び出してサンプル出力判断を行う。サンプル出力判断では、サンプル出力に際してのカウンタ（例えば排紙枚数など）の参照によるサンプル周期であるかの判断やサンプル出力指示の内容が参照され、さらに、画像検査との関係でサンプル出力が無効であるかなどを判断する。サンプル出力判断部３−４で、出力時期であると判断すると、主制御部３−３に対し、サンプル出力の指示を行う。サンプル出力の指示を受けた主制御部３−３では、所定の用紙についてサンプル出力を行う。
制御部１００では、主制御部３−３の指示によって画像検査部３−９に対し、印刷された画像の検査を指示することができる。画像検査部３−９は、制御部１００の一部機能によって構成される。画像検査部３−９の検査結果は主制御部３−３に通知される。
【００６８】
次に、上記制御部１００における具体的な動作内容について説明する。
（１）サンプル出力設定部３−２により、１）サンプル出力する／しない、２）サンプル出力する周期（何枚毎）、３）サンプル出力画像に合成する付加情報の種類、４）付加情報の印字形態（フォント）、５）付加情報の印字位置を設定する。
（２）画像入力部３−１から画像を入力する。プリントコントローラからの受信などにより行われる。
（３）主制御部３−３は、印刷ジョブが開始されると、画像入力部３−１が入力した画像を、圧縮ＩＣ１１８を用いて圧縮し、圧縮メモリ１２１へ格納する。
（４）主制御部３−３は、入力したジョブ情報から画像検査指示の有無を判断し、画像検査指示がなければ、サンプル出力判断部３−４へサンプル出力タイミングか否かの判定を指示する。サンプル出力判断部３−４は、用紙の排紙枚数を管理し、サンプル出力設定部３−２により設定されたサンプル出力周期に排紙枚数が達したか否かを監視する。サンプル出力判断部３−４は、サンプル出力周期に排紙枚数が達したと判断した場合は、主制御部３−３へ、サンプル出力を指示する。またサンプル出力指示部３−１０は、ユーザーからサンプル出力指示を受けた場合は、主制御部３−３へ、サンプル出力を指示する。
【００６９】
（５）主制御部３−３は、圧縮メモリ１２１に格納されている圧縮画像を、伸長ＩＣ１２５を用いて伸長し、第１ページメモリ１２２Ａへ格納する。また主制御部３−３は、サンプル出力判断部３−４、またはサンプル出力指示部３−１０により、サンプル出力が指示された場合には、付加画像形成部３−５に対し、付加情報の形成を指示する。
（６）付加画像形成部３−５は、サンプル出力設定部３−２により設定されたサンプル出力画像に合成する付加情報の種類、付加情報の印字形態（フォント）に従った付加情報画像に生成し、サンプル出力設定部３−２により設定された付加情報の印字位置に従って第１ページメモリ１２２Ａ中のサンプル出力用画像に付加情報画像を合成する。
（７）主制御部３−３は、排紙先切り替え部３３０に対し、排紙先を、通常の画像形成の場合は、通常用排紙トレイを選択し、サンプル出力を行う場合は、サンプル排紙トレイに変更を指示する。
（８）主制御部３−３は、画像形成部１１へ画像の出力を指示し、画像形成部１１は画像を用紙に書き込みを行う。
（９）画像形成部１１は用紙の排紙完了後、主制御部３−３へ用紙の排紙完了を通知する。
（１０）主制御部３−３は、サンプル出力判断部３−４に排紙通知を行う。サンプル出力判断部３−４は周期カウンタを更新する。
（１１）主制御部３−３は、画像検査指示の有無を判断し、画像検査指示があれば、画像読取部２４０へ、画像の読み取りを指示する。
（１２）画像読取部２４０は、印刷後の用紙を読み取り、第２ページメモリ１２２Ｂに格納し、読み取り完了を主制御部３−３に通知する。
（１３）主制御部３−３は、画像検査部３−９へ、画像の検査を指示する。
（１４）画像検査部３−９は、印刷用紙を読み取った画像に、不良がないか検査する。
（１５）主制御部３−３は、画像検査結果が異常であった場合、排紙先切り替え部３３０に対し、排紙先を異常紙排紙用トレイに変更を指示する。
【００７０】
次に、サンプル出力の基本的な動作について説明する。
サンプル出力は、ジョブの出力毎数などが予め設定された周期に達した場合に、ジョブの出力物の一部または全部をサンプルとして本印刷以外に印刷する。サンプル出力は、通常は、本印刷の排紙とは区別して排紙する。
サンプル出力動作を実施する際には、操作部制御部１４２などにおいて設定されたサンプル出力周期に基づいて、サンプル出力の実施タイミングを算出し、ジョブの出力中にサンプル出力周期に達した時点でサンプル出力が行われる。
【００７１】
以下に、サンプル出力例を図７に基づいて説明する。
図７では、上段に入力画像を示し、下段に出力画像イメージを示している。
ジョブでは、図７の上段に示すように、入力画像は１６ページからなり、サンプル出力周期が７ページ毎、設定部数が１部、プリントモードが片面に設定されている。図では網掛けしたページがサンプル出力の用紙である。
サンプル出力周期は７ページ毎なので、１〜７ページまでを通常用の排紙トレイに排紙し、７ページ目と同一の画像をサンプル出力として印刷し、サンプル出力用の排紙トレイに排紙する。その後は、同様に、８〜１４ページまでの画像を印刷して通常用の排紙トレイに排紙した後に、１４ページ目がサンプル出力周期となるため、１４ページ目と同等の画像をサンプル出力として通常とは異なる排紙先に排紙する。
この動作では、主制御部３−３は、画像形成前にサンプル出力判断部３−４に対し、サンプル出力周期か否かの判定を指示する。サンプル出力判断部３−４が、サンプル出力周期に達したと判断した場合は、主制御部３−３は、排紙先切り替え部３３０へ排紙先の切り替えを指示する。主制御部３−３はサンプル出力周期カウンタ（初期値０）を管理しており、画像形成部１１からの排紙通知を受けるとカウンタをアップし、サンプル出力を実行した場合に、カウンタをクリアする。
【００７２】
次に、本実施形態におけるサンプル出力の動作について説明する。
画像形成装置１では、ジョブの出力中に、印刷された画像を画像読取部２４０で読み取り、読み取った画像データに基づいて印刷された画像を検査して画像の良否を判定することができる。この機能を画像検査という。画像検査の有無は、ジョブごとに設定することができる。
【００７３】
図８には、画像検査部による用紙の画像検査を行わないジョブ（ＪＯＢ１）と、画像検査を行うジョブ（ＪＯＢ２）と、画像検査を行わないジョブ（ＪＯＢ３）とを順番に出力する例を示している。ここでは、サンプル出力は「実施する」に設定されており、サンプル出力の周期は３００枚毎に設定されている。
ＪＯＢ１の出力を開始すると、ＪＯＢ１の開始時の周期カウンタが０から順番にカウントアップされ、通常用の排紙トレイに１〜３００ページまでを出力し、３００枚目の出力に際し、直前に印刷した画像と同一画像をサンプル出力としてサンプル出力用トレイへ出力する。なおサンプル出力に使用する画像は、指定された特定の画像でも良い。
ＪＯＢ１の終了後には、画像検査ありに設定されているＪＯＢ２を出力する。ＪＯＢ２の出力中は、本実施形態では、サンプル出力のタイミングにおいてもサンプル出力をしないように制御する。ＪＯＢ２の終了後に画像検査を行わないジョブであるＪＯＢ３の出力を開始する。ＪＯＢ３では、所定の周期でサンプル出力を行う。
【００７４】
なお、図８に示すように、画像検査を行うＪＯＢ２の出力中においても、継続して排紙枚数をカウントし、サンプル出力周期の周期カウンタをカウントアップすることが好ましい。このときにサンプル出力のタイミングではサンプル出力を行わないがサンプル出力のためのカウンタはリセットする。
サンプル出力機能の有効／無効の設定を変更する場合、装置に保持されているサンプル出力の周期カウンタがリセットされてしまうと、サンプル出力の間隔が所望の間隔よりもあいてしまうという問題が生じる。
【００７５】
例えば、図２７の従来例では、ＪＯＢ２の出力開始時にサンプル出力の周期カウンタがリセットされるため、ＪＯＢ３の開始時点では周期カウンタが０となり、ＪＯＢ３のサンプル出力タイミングは３００枚目となる。そのため、サンプル出力が１００枚排紙分遅れてしまう。画像検査を行うジョブを出力している間も、資材は劣化し、消耗品は減少しているが、サンプル出力が遅れてしまうことにより、それを定期的に把握することができなくなる。
【００７６】
本実施形態では、画像検査を行うジョブの出力中にも周期カウンタのカウントを継続し、再び画像検査を行わないジョブを出力する場合には、継続してカウントされている周期カウンタの値に基づいて、サンプル出力を実行する。これにより、画像検査ありのジョブを出力してサンプル出力が一旦ＯＦＦになった場合であっても、適切なタイミングでサンプル出力を実施することが可能になる。
このためＪＯＢ３では、周期カウンタがＪＯＢ２の最後の周期カウンタ（１００）が継続され、ＪＯＢ３の２００枚目、５００枚目の印刷においてサンプル出力が実施される。
【００７７】
また、画像検査手段による用紙の検査が指定されているジョブの実行時は、サンプル出力周期に応じたサンプル出力タイミングに至ってもサンプル出力は行わないが、手動でサンプル出力の指示が行われた場合は、指示を受けたタイミングでサンプル出力を行うようにしてもよい。
図９は、画像検査を行わないジョブにおけるサンプル出力のタイミングを示し、図１０は、画像検査を行うジョブにおけるサンプル出力のタイミングを示している。
なお、図９、図１０の例では、ジョブは、入力画像が１６ページ、サンプル出力の周期が７ページ毎、設定部数が１部、プリントモードが片面に設定されている。
画像検査を行わない場合、図９に示すように、周期サンプル出力のタイミングである７ページ目と１４ページ目では、サンプル出力の周期による指示を受けてサンプル出力が行われる。さらに、１２ページ目の出力中に、ユーザーによってサンプル出力の指示が行われていることにより、１２ページ目の手動サンプル出力が行われている。
画像検査を行うジョブを出力する場合は、図１０に示すように、７ページ目と１４ページ目における周期サンプル出力は行わないが、１２ページ目で手動によりサンプル出力の指示を受けた場合は、１２ページ目の画像のサンプル出力を行う。
【００７８】
なお、上記の説明では、サンプル出力を行う際には、サンプル出力タイミングに至った時点で形成中の画像をサンプルとして印刷して出力していたが、サンプル出力の際に、ユーザーが指定したページの画像を印刷するようにしてもよく、または、調整用のチャート等の所望の画像を印刷するようにしてもよい。
例えば、図１１に示すように、ジョブが、入力画像が１６ページ、サンプル出力周期が７ページ毎である設定の場合、上段の入力イメージに対し、中段に示すように、サンプル出力周期である７ページ目および１４ページ目において、３ページ目の画像を印刷してサンプル出力を行うようにしてもよい。また、下段に示すように、周期サンプル出力に際しページ画像とは異なる画像（例えば調整チャート）をサンプル出力することができる。サンプル出力の画像としては、装置に実装されている調整用のチャートを印刷することができる。
なお、画像検査を行う場合にサンプル出力を行ったときは、画像検査が行われるためサンプル排紙に対する検査はスキップするようにしてもよい。
【００７９】
画像の異常を検知した用紙は使用できないため、正常に印字されたシートと区別して排紙するが、ユーザーによる目視確認に使用されるサンプル排紙は、前記異常紙とは区別して排紙することで、ユーザーによる煩雑な選別作業を軽減する効果がある。
本実施形態に示すように、排紙先を３つ以上持つ装置を使用しても良いし、複数の排紙装置を連結して、それぞれに排紙先を分けても良い。
具体的には、プリンター制御部１５２を介した主制御部３−３からの指示により、排紙先切り替え部３３０によって、正常に印刷されたと判定された用紙は、搬送路３３により用紙排紙部３００である通常用紙排紙トレイに排紙し、異常と検知された用紙は第２搬送路３３２を通して第２排紙部である異常紙排紙トレイに排紙し、サンプル出力紙は第１搬送路３３１を通して第１排紙部であるサンプル排紙トレイに排紙することができる。
【００８０】
また、排紙トレイを複数持たない装置構成である場合、異常紙とサンプル排紙とが同じ場所に出力されてしまうため、選別が難しくなる。
そのため、サンプル出力される用紙に対し、サンプルであることを示すマークやテキストなどを付加情報として印刷するようにしてもよい。
例えば、図１２に示すように、用紙Ｐに対し、「ＳＡＭＰＬＥ」マークを付加情報１０００として印刷してもよく、印字日時、予め指定されたテキスト、および部番号を付加情報１００１として印刷するようにしてもよい。
また、付加情報の印刷位置は、図１２に示すように、印刷用紙を分割した領域のどこに印刷するかを指定できるようにしてもよい。
印刷する付加情報は、サンプル出力設定部３−２により設定され、付加画像形成部３−５により入力画像に合成される。
サンプル出力される用紙に付加情報を印刷することで、サンプル排紙が正常紙や異常紙と同一の場所に排紙された場合であっても選別を容易にすることができる。
なお、付加情報の種類は本実施形態としては特に限定されず、所望の情報を付加することができる。
【００８１】
図１３〜図２１は、サンプル出力の設定画面や付加情報の設定画面を示している。これらの画面は操作表示部１４０や外部表示部５１等に表示される。
まず、サンプル出力の実行有無の設定を行うためのサンプル出力設定画面１４００を図１２に示す。
図１３のサンプル出力設定画面１４００では、画面の上部のメッセージ欄１４０１に「サンプル出力を設定して下さい。」と表示されており、また、メッセージ欄１４０１の下方には、「する」釦１４０４と「しない」釦１４０５が押下可能に設けられ、画面の下部には「キャンセル」釦１４０２と「ＯＫ」釦１４０３とが押下可能に設けられている。
サンプル出力を行う場合は、「する」釦１４０４を押下し、サンプル出力を行わない場合は「しない」釦１４０５を押下する。その後、「ＯＫ」釦１４０３を押下することにより、設定を確定して保存することができる。なお、サンプル出力の設定を行わない場合は、「キャンセル」釦１４０２を押下することで、設定がキャンセルされる。
【００８２】
次に、サンプル出力周期を設定するための設定画面を図１４に示す。
図１４のサンプル出力周期設定画面１４１０では、画面の上部のメッセージ欄１４１１に「サンプル出力周期を設定して下さい。」と表示されており、また、メッセージ欄１４１１の下方には、出力周期設定欄１４１４が設けられており、その右方にテンキー群１４１５、画面の下部には「キャンセル」釦１４１２と「ＯＫ」釦１４１３とそれぞれ押下可能に設けられている。
サンプル出力周期の設定を行う際には、テンキー群１４１５を押下して、出力周期設定欄１４１４に表示される出力周期を設定する。「ＯＫ」釦１４１３を押下することにより、出力周期の設定が確定して保存することができる。出力周期の設定をキャンセルする場合は、「キャンセル」釦１４１２を押下して設定をキャンセルする。
【００８３】
次に、付加情報の種類の設定について説明する。
表１は、サンプル出力紙に付加可能な付加情報の種類を示している。サンプル出力に付加情報を付加する場合、以下の中から複数種類を組み合わせることが可能である。
【００８４】
【表１】
2019048387.tif 000003
【００８５】
図１５の付加情報設定画面１４２０では、サンプル出力の用紙に付加する情報として、日付と時刻の設定を行うことができる。
付加情報設定画面１４２０では、画面の上部のメッセージ欄１４２１に「日付、時刻の設定を行って下さい。」と表示されており、メッセージ欄１４２１の下方には、日付時刻設定欄１４２４、文字設定欄１４２５、印字位置設定欄１４２６、および機能オフ釦１４２７が設けられている。また、印字位置設定欄１４２６の下方には「キャンセル」釦１４２２と「ＯＫ」釦１４２３とが押下可能に設けられている。
【００８６】
日付時刻設定欄１４２４では、日付と時刻を付加するかの設定や、日付、時刻の表示形態の変更が可能となっている。
文字設定欄１４２５では、文字の印字形態の変更を行うことができる。印字形態の変更については後述する。
印字位置設定欄１４２６では、付加情報の印字位置を設定することができる。印字位置の設定については後述する。
機能オフ釦１４２７は、日付・時刻の印字をオフにするための釦である。
付加情報として印字される日付・時刻の設定を行う際には、日付時刻設定欄１４２４、文字設定欄１４２５、印字位置設定欄１４２６、機能オフ釦１４２７を操作して、各種の設定を行う。設定後、「ＯＫ」釦１４２３を押下することにより、設定内容が保存される。
なお、設定をキャンセルする場合は「キャンセル」釦１４２２を押下して設定をキャンセルする。
【００８７】
次に、付加情報としての部番号の設定について説明する。
図１６のナンバリング設定画面１４３０は、サンプル出力される用紙に部番号を付加する際の設定を行う画面であり、ナンバリング設定画面１４３０では、画面の上部のメッセージ欄１４３１に「ナンバリングの設定を行って下さい。」と表示されており、メッセージ欄１４３１の下方には、ナンバリング設定欄１４３４、文字設定欄１４３５、印字位置設定欄１４３６、および機能オフ釦１４３７が設けられている。また、印字位置設定欄１４３６の下方には「キャンセル」釦１４３２と「ＯＫ」釦１４３３とが設けられている。
ナンバリング設定欄１４３４では、サンプル出力に付加されるナンバリングの設定を行うことができる。
文字設定欄１４３５では、文字の印字形態の変更を行うことができる。印字形態の変更については後述する。
【００８８】
印字位置設定欄１４３６では、付加情報の印字位置を設定することができる。印字位置の設定については後述する。
機能オフ釦１４３７は、部番号の印字をオフにするための釦である。
付加情報としての部番号の設定を行う際には、ナンバリング設定欄１４３４、文字設定欄１４３５、印字位置設定欄１４３６を操作して、各種の設定を行うことができる。設定後、「ＯＫ」釦１４３３を押下することにより、設定内容が保存される。
なお、設定をキャンセルする場合は「キャンセル」釦１４３２を押下して設定をキャンセルする。
【００８９】
図１７は、ナンバリングの種類選択画面を示している。この画面は、図１６のナンバリング設定画面１４３０において、ナンバリング設定欄１４３４内のナンバリング変更釦を押下することで表示される。
ナンバリング種類選択画面１４４０は、画面の上部のメッセージ欄１４４１に「ナンバリングの種類を選択して下さい。」と表示されており、メッセージ欄１４４１の下方に、ナンバリング選択欄１４４４が設けられている。また、ナンバリング選択欄１４４４の下方には「キャンセル」釦１４４２と「ＯＫ」釦１４４３とが設けられている。
ナンバリング選択欄１４４４では、ナンバリングの種類を「０００１、０００２、０００３」、「０００１／１０００、０００２／１０００」、「１、２、３」、および「１／１０００、２／１０００、３／１０００」の中から選択可能となっている。ナンバリング種類の選択後は、「ＯＫ」釦１４４３を押下することで、ナンバリングの種類の設定内容が保存される。
なお、設定をキャンセルする場合は「キャンセル」釦１４４２を押下して設定をキャンセルする。
【００９０】
次に、ページ番号の設定画面について説明する。
図１８のページ番号設定画面１４５０では、サンプル出力の用紙に付加情報として付加されるページ番号の設定を行うことができる。
ページ番号設定画面１４５０では、画面の上部のメッセージ欄１４５１に「ページの設定を行って下さい。」と表示されており、メッセージ欄１４５１の下方には、ページ番号設定欄１４５４、文字設定欄１４５５、印字位置設定欄１４５６、および機能オフ釦１４５７が設けられている。また、印字位置設定欄１４５６の下方には「キャンセル」釦１４５２と「ＯＫ」釦１４５３とが設けられている。
【００９１】
ページ番号設定欄１４５４では、サンプル出力の用紙に付加されるページ番号の設定を行うことができる。
文字設定欄１４５５では、文字の印字形態の変更を行うことができる。印字形態の変更については後述する。
印字位置設定欄１４５６では、付加情報の印字位置を設定することができる。印字位置の設定については後述する。
機能オフ釦１４５７は、部番号の印字をオフにするための釦である。
付加情報としてのページ番号の設定を行う際には、ページ番号設定欄１４５４、文字設定欄１４５５、印字位置設定欄１４５６を操作して、各種の設定を行った後に、「ＯＫ」釦１４５３を押下することにより、設定内容を保存することができる。
なお、設定をキャンセルする場合は「キャンセル」釦１４５２を押下して設定をキャンセルする。
【００９２】
次に、付加情報の印字形態の設定について説明する。
本実施形態において選択可能な印字形態の例を表２に示す。なお、印字形態は以下の項目に限定されず、斜体や太字の設定などの他の項目を選択可能としてもよい。
【００９３】
【表２】
2019048387.tif 000004
【００９４】
印字形態の設定は、図１９に示す文字設定画面１４６０において行うことが可能である。文字設定画面１４６０は、図１５の付加情報設定画面１４２０の文字設定欄１４２５、図１６のナンバリング設定画面１４３０の文字設定欄１４３５、図１８のページ番号設定画面１４５０の文字設定欄１４５５における文字変更釦が押下された際に表示されるものである。
文字設定画面１４６０では、画面の上部のメッセージ欄１４６１に「文字のサイズと種類を設定して下さい」と表示されており、メッセージ欄１４６１の下方には、文字サイズ設定欄１４６４および文字種類設定欄１４６５が設けられている。また、文字種類設定欄１４６５の下方には「キャンセル」釦１４６２と「ＯＫ」釦１４６３とが設けられている。
文字サイズ設定欄１４６４では、文字のサイズを８ポイント、１０ポイント、１２ポイント、および１４ポイントの中から選択することができ、文字種類設定欄１４６５では、文字の種類をゴシック体と明朝体とから選択することが可能になっている。なお、図１８では、文字サイズは１４ポイント、文字種類はゴシック体が選択されている。
なお、文字のサイズはテンキー等により入力可能としてもよい。
【００９５】
次に、付加情報の印字位置の設定方法について説明する。
付加情報の印字位置を設定する際には、用紙を９分割した領域のどの領域へ印字するかを指定した後に、印字位置の微調整を行うことができる。
印字位置の設定項目を以下の表３に示す。なお、本発明の印字位置の設定方法は以下の項目に限定されず、他の項目により設定を行うものであっても良い。
【表３】
2019048387.tif 000005
【００９６】
印字位置の設定は、図１５の付加情報設定画面１４２０、図１６のナンバリング設定画面１４３０、図１８のページ番号設定画面１４５０において、印字位置設定欄１４２６、１４３６、１４５６を操作することで実施される。
各印字位置設定欄には、付加情報の印字位置を、左上、中央上、右上、左中、中央、右中、左下、中央下、右下の９箇所の中から選択することができる。
図１９は、用紙を９分割した場合の各領域を示している。なお、本発明としては用紙の分割方法は特に限定されず、例えば４分割した領域から選択可能としてもよい。
【００９７】
さらに、各印字位置設定欄には、印字位置の微調整釦が設けられており、微調整釦を押下することで図２１の微調整画面に遷移し、印字位置の微調整を行うことができる。
図２１の微調整画面１４７０では、画面の上部のメッセージ欄１４７１に「位置の微調整を行って下さい」と表示されており、メッセージ欄１４７１の下方には、操作キー群１４７４が設けられている。また、操作キー群１４７４の下方には「キャンセル」釦１４７２と「ＯＫ」釦１４７３とが設けられている。
位置の微調整を行う際には、操作キー群１４７４に含まれる「上へ」釦、「右へ」釦、「左へ」釦、「下へ」釦や、テンキー群を操作することにより、任意の方向に対して印字位置を所望の距離で移動させることができる。
【００９８】
次に、サンプル出力における動作の手順を図２２のフローチャートに基づいて説明する。
手順を開始すると、サンプル出力設定部３−２により、サンプル出力の実行有無を設定する（ステップｓ１）。サンプル出力はジョブ毎に設定される機能ではないため、ここで設定すると全てのジョブを通じて有効となる。
ステップｓ１の後は、サンプル出力を行う周期（何枚毎）を設定する（ステップｓ２）。なお、設定される周期は用紙枚数に限定されず、例えば、印刷開始後の経過時間や、資源消費量としてもよい。
そして、サンプル出力の画像に合成する付加情報の種類、付加情報の印字形態（フォント）、付加情報の印字位置を設定する（ステップｓ３）。
その後、上記のステップｓ１〜ｓ３において、サンプル出力がＯＦＦに設定された、またはサンプル出力周期が変更されたか否かを判断する（ステップｓ４）。
サンプル出力がＯＦＦに設定された場合、または、サンプル出力の周期が変更された場合（ステップｓ４、Ｙｅｓ）、サンプル出力周期のカウンタをクリアし（ステップｓ５）、手順を終了する。一方、サンプル出力がＯＮに設定された場合、かつサンプル出力の周期が変更されていない場合（ステップｓ４、Ｎｏ）、そのまま手順を終了する。
【００９９】
次に、図２３のフローチャートに基づいて、画像入力から用紙の排紙までの手順を説明する。なお、以下の手順は制御部の制御によって実行される。
印刷ジョブが開始されると、画像入力の開始時に、排紙先を通常用排紙トレイに設定する（ステップｓ１０）。その後、画像入力部３−１から画像を入力する（ステップｓ１１）。主制御部３−３は、画像入力部３−１が入力した画像を、圧縮ＩＣを用いて圧縮し、圧縮された画像を圧縮メモリへ格納し、圧縮メモリに格納されている圧縮画像を伸長ＩＣによって伸長し、第１ページメモリへ格納する。なお、画像はプリントコントローラから受信される。ステップｓ１１を終えたらステップｓ１２へ進む。
ステップｓ１２では、用紙の給紙処理を行う（ステップｓ１２）。ステップｓ１２を終えるとステップｓ１３へ進む。
ステップｓ１３では、サンプル出力の判断およびサンプル出力時の排紙トレイの切り替え処理を行う（ステップｓ１３）。ステップｓ１３の動作は、後述する図２４の手順により実行される。ステップｓ１３を終えるとステップｓ１４へ進む。
ステップｓ１４では、用紙への出力を行い（ステップｓ１４）、ステップｓ１５に移行する。
【０１００】
ステップｓ１５では、用紙の排紙処理を行い、用紙を装置本体１０から排紙する（ステップｓ１５）。 制御部では用紙の排紙をカウントする。 ステップｓ１５を終えるとステップｓ１６に移行する。
ステップｓ１６では、周期カウンタの更新処理を行う（ステップｓ１６）。周期カウンタの更新処理は、後述する図２５のフローに従って行われる。ステップｓ１６を終えるとステップｓ１７へ進む。
ステップｓ１７では、サンプル排紙をするかの判断を行う（ステップｓ１７）。サンプル排紙をする場合（ステップｓ１７、Ｙｅｓ）、ステップｓ２２へ進み、全ページ完了かの判断を行う。サンプル排紙をしない場合（ステップｓ１７、Ｎｏ）、画像検査ありかの判定を行う（ステップｓ１８）。
【０１０１】
画像検査有りの場合（ステップｓ１８、Ｙｅｓ）、画像検査を行う（ステップｓ２０）。画像検査有りでない場合（ステップｓ１８、Ｎｏ）、ステップｓ２２に移行する。
画像検査後、画像が不良であるかの判定を行う（ステップｓ２０）。画像が不良でない場合、ステップｓ２２に移行する。
画像が不良である場合（ステップｓ２０、Ｙｅｓ）、排紙先を異常紙排紙用トレイに変更し（ステップｓ２１）、ステップｓ２２に移行する。
ステップｓ２２では、全ページ出力完了したかの判断を行い（ステップｓ２２）、全ページ完了していれば手順を終了する。全ページ出力完了していない場合（ステップｓ２２、Ｎｏ）、ステップｓ１１に戻り、手順を繰り返す。
【０１０２】
次に、サンプル排紙判断の手順を図２４のフローチャートに基づいて説明する。
先ず、サンプル排紙設定がＯＮであるかの判断を行う（ステップｓ３０）。サンプル排紙設定がＯＮの場合は手動サンプル出力があるかの判断を行う（ステップｓ３１）。サンプル排紙設定がＯＮでない場合、サンプル出力をしないとして（ステップｓ３８）、手順を終了する。
手動サンプル出力がある場合（ステップｓ３１、Ｙｅｓ）、ステップｓ３４に移行してサンプル出力をするかの判断を行う。手動サンプル出力がない場合（ステップｓ３１、Ｎｏ）、サンプル出力タイミングかを判定する（ステップｓ３２）。
サンプル出力タイミングでない場合（ステップｓ３２、Ｎｏ）、サンプル出力をしないとして（ステップｓ３８）、手順を終了する。
サンプル出力タイミングの場合（ステップｓ３２、Ｙｅｓ）、画像検査有りかを判定する（ステップｓ３３）。画像検査有りであれば（ステップｓ３３、Ｙｅｓ）、サンプル出力をしないとして（ステップｓ３８）、手順を終了する。
画像検査有りでなければ（ステップｓ３３、Ｎｏ）、サンプル出力をするとする（ステップｓ３４）。
【０１０３】
ステップｓ３４の後、サンプル出力排紙用トレイがあるかの判定を行う（ステップｓ３５）。サンプル出力排紙用トレイがある場合（ステップｓ３５、Ｙｅｓ）、排紙先をサンプル出力用排紙トレイに変更し（ステップｓ３７）、手順を終了する。サンプル出力排紙用トレイがない場合（ステップｓ３５、Ｎｏ）、サンプル排紙に印刷する付加情報を合成し（ステップｓ３６）、その後、手順を終了する。
【０１０４】
次に、サンプル出力周期カウンタの更新処理の手順を図２５のフローチャートに基づいて説明する。以下の手順は制御部の制御によって実行される。
用紙がサンプル出力排紙か判断する（ステップｓ４０）。サンプル出力排紙の場合（ステップｓ４０、Ｙｅｓ）、サンプル出力周期のカウンタをクリアし（ステップｓ４１）、手順を終了する。サンプル出力排紙でない場合（ステップｓ４０、Ｎｏ）、サンプル出力の周期をカウントアップし（ステップｓ４２）、手順を終了する。
【０１０５】
本実施形態によれば、ジョブの種類に応じて画像検査手段による検査の実行を切り替えた場合でも、サンプル出力設定の有効／無効をその都度変更することなく、画像検査をしないジョブの実行時には適切なタイミングでサンプル出力を行うことが可能となる。
これにより、画像検査をするジョブを実行する際、サンプル出力の実行可否の設定変更をしなくて良くなるため、設定ミスによる無駄なサンプル出力の実行が行われることや、必要なサンプル出力が実行されないということがなくなり、画像検査を実行するジョブとしないジョブを交互に切り替えて実行しても適切なタイミングでサンプル出力を実行することが可能となる。
【０１０６】
以上、本発明を上記実施形態に基づいて説明したが、本発明の範囲は上記実施形態に限定されるものではなく、本発明の範囲を逸脱しない限りでは本実施形態に対する適宜の変更を行うことが可能である。
【符号の説明】
【０１０７】
１  画像形成装置
３  ＬＡＮ
５  外部装置
１０  装置本体
１１  画像形成部
１２  本体給紙部
１３  搬送路
２０  読取装置
３０  排紙装置
３１  第１排紙部
３２  第２排紙部
３３  搬送路
４０  給紙装置
５０  外部装置制御部
５１  外部表示部
１００  制御部
１３０  スキャナー部
１４０  操作表示部
１５０  プリンター部
２４０  画像読取部
１０００  付加情報
１００１  付加情報
１４００  サンプル出力設定画面
１４１０  サンプル出力周期設定画面
１４２０  付加情報設定画面
１４３０  ナンバリング設定画面
１４４０  ナンバリング種類選択画面
１４５０  ページ番号設定画面
１４６０  文字設定画面
１４７０  微調整画面部
【図１】
2019048387.tif 000006
【図２】
2019048387.tif 000007
【図３】
2019048387.tif 000008
【図４】
2019048387.tif 000009
【図５】
2019048387.tif 000010
【図６】
2019048387.tif 000011
【図７】
2019048387.tif 000012
【図８】
2019048387.tif 000013
【図９】
2019048387.tif 000014
【図１０】
2019048387.tif 000015
【図１１】
2019048387.tif 000016
【図１２】
2019048387.tif 000017
【図１３】
2019048387.tif 000018
【図１４】
2019048387.tif 000019
【図１５】
2019048387.tif 000020
【図１６】
2019048387.tif 000021
【図１７】
2019048387.tif 000022
【図１８】
2019048387.tif 000023
【図１９】
2019048387.tif 000024
【図２０】
2019048387.tif 000025
【図２１】
2019048387.tif 000026
【図２２】
2019048387.tif 000027
【図２３】
2019048387.tif 000028
【図２４】
2019048387.tif 000029
【図２５】
2019048387.tif 000030
【図２６】
2019048387.tif 000031
【図２７】
2019048387.tif 000032